(57)【特許請求の範囲】
【請求項１】
光軸を中心にして形成された開口部と光軸を中心にした円周上に配列された複数の孔とを有している地板と、最大絞り口径を規制するために光軸を中心にして前記開口部よりも小さくて円形に形成された開口部を有しており前記地板に取り付けられて前記地板との間に羽根室を構成し前記地板の方を被写体側にしてカメラ内に配置される補助地板と、前記羽根室内において光軸を中心にして回転可能に且つ前記地板に接するようにして配置されており前記地板の孔よりも光軸側において光軸を囲むようにして配列された複数の細長いカム溝を有している駆動リングと、各々が同一面に二つのピンを有していて前記羽根室内において前記駆動リングと前記補助地板との間に配置されており前記駆動リングを前記羽根室内に配置したあと一方のピンを前記孔に回転可能に嵌合させ他方のピンを前記カム溝に挿入している複数枚の絞り羽根と、を備えていることを特徴とするカメラ用絞り機構。
【発明の詳細な説明】
【０００１】
【発明の属する技術分野】
本発明は、駆動リングによって複数枚の羽根を同時に回転させることにより、絞り口径を調整するカメラ用絞り機構に関する。
【０００２】
【従来の技術】
従来から知られているカメラ用絞り機構の一つに、光軸を中心にして所定の角度範囲で往復回転する駆動リングが、３枚以上の羽根を同時に同方向へ回転させ、常に、光軸を中心にした円形に近い絞り口径を得られるようにしたものがある。そこで、最近におけるこの種の絞り機構の一例を、図４〜図６を用いて説明する。尚、図４は被写体側から見た全開（最大口径）時の平面図であり、図５はその一部の断面図であり、図６は図４と同じようにして見た最小口径時の平面図である。
【０００３】
地板１と補助地板２は適宜な手段によって相互に取り付けられており、それらの間に羽根室を構成している。地板１は光軸を中心にした円形の開口部１ａを有しているが、この開口部１ａが絞り口径の最大口径を規制する。また、地板１には、光軸を中心にした円周上に等間隔に五つの孔１ｂが形成されているが、図４及び図６は地板１の一部を破断して示しているので、それらのうちの三つだけが示されている。更に、地板１の羽根室側の面には円弧状の段部１ｃが形成されており、その長さ方向の一端位置には突部１ｄが形成されている。
【０００４】
羽根室内には、駆動リング３が回転可能に配置されていて、張出部３ａが上記の段部１ｃに対向して作動するようになっている。また、この駆動リング３には、光軸を囲むようにして配列された五つの細長いカム溝３ｂが形成されており、外周の一部には歯部３ｃを有している。更に、羽根室内には、地板１と駆動リング３との間に５枚の絞り羽根４が配置されていて、各々の絞り羽根４は、一方のピン４ａを地板１の孔１ｂに回転可能に嵌合させ、他方のピン４ｂを駆動リング３のカム溝３ｂに挿入している。
【０００５】
地板１には羽根室外にモータ５が取り付けられていて、羽根室内に延在している出力軸には歯車６が取り付けられている。また、羽根室内には親子歯車７が取り付けられていて、その親歯車が上記の歯車６に噛合し、子歯車が駆動リング３の歯部３ｃに噛合している。従って、図４において、モータ５の回転子を反時計方向へ回転させると、駆動リング３も反時計方向へ回転し、軸４ａを支点にして各絞り羽根４を反時計方向へ回転させる。そして、図６に示した最小口径状態になる前にモータ５を停止させれば、夫々の停止位置で夫々の絞り口径を得ることができる。また、撮影後、モータ５の回転子を時計方向へ回転させ、張出部３ａが突部１ｄに当接するまで駆動リング３を時計方向へ回転させれば、図４の全開状態（絞りの最大口径）に復帰する。
【０００６】
【発明が解決しようとする課題】
ところで、上記のような従来の絞り機構を組み立てる場合は、通常、予めモータ５と歯車６を取り付けておいた地板１を、羽根室側の面を上側にして冶具に載せておき、その上から絞り羽根４，駆動リング３，親子歯車７，補助地板２の順に取り付けていく。また、電動式の絞り機構の中には羽根室内に歯車を配置しないものがあるが、そのような構成のものであっても、電動式でないものであっても、絞り羽根４，駆動リング３，補助地板２の取り付け順序は同じである。そして、このようにして取り付けていく場合、絞り羽根４を地板１に取り付けるときは、１枚ごとにピン４ａを夫々の孔１ｂに嵌め込むだけであるから、一つのピン４ａと一つの孔１ｂとの関係位置だけを考えて行えばよい。しかしながら、駆動リング３を取り付けるときには、五つのピン４ｂの位置を同一円周上に等間隔に配置しておき、それらのピン４ｂに対して五つのカム溝３ｂを同時に嵌め込まなくてはならないから、取付作業が極めて面倒であった。
【０００７】
また、絞り機構の被写体側には、通常、レンズが配置されている。また、シャッタ機構を配置する場合もある。そして、カメラのコンパクト化を図るためには、そのレンズなどを出来るだけ絞り羽根４に接近させて配置したい場合がある。そのためには、地板１の開口部１ａを大きくすることが考えられるが、上記のような構成の従来の絞り機構においては、地板１と駆動リング３との間に、５枚の絞り羽根４を配置しているから、特に図６に示されているような最小口径制御状態になるにしたがい、薄い絞り羽根４は、地板１と作動リング３に挟持されない領域が大きくなり、被写体側に対する姿勢が不安定になってしまう。そのため、絞り羽根４は、被写体側へ傾斜したり撓んだりして、レンズなどに接触してしまうという不都合があった。
【０００８】
本発明は、このような問題点を解決するためになされたものであり、その目的とするところは、組立作業を好適に行えるようにしたカメラ用絞り機構を提供することである。また、カメラのコンパクト化を図るために、被写体側に配置されている地板の開口部を大きくしても絞り羽根の作動や口径制御状態が安定して得られるようにしたカメラ用絞り機構を提供することである。
【０００９】
【課題を解決するための手段】
上記の目的を達成するために、本発明のカメラ用絞り機構は、光軸を中心にして形成された開口部と光軸を中心にした円周上に配列された複数の孔とを有している地板と、最大絞り口径を規制するために光軸を中心にして前記開口部よりも小さくて円形に形成された開口部を有しており前記地板に取り付けられて前記地板との間に羽根室を構成し前記地板の方を被写体側にしてカメラ内に配置される補助地板と、前記羽根室内において光軸を中心にして回転可能に且つ前記地板に接するようにして配置されており前記地板の孔よりも光軸側において光軸を囲むようにして配列された複数の細長いカム溝を有している駆動リングと、各々が同一面に二つのピンを有していて前記羽根室内において前記駆動リングと前記補助地板との間に配置されており前記駆動リングを前記羽根室内に配置したあと一方のピンを前記孔に回転可能に嵌合させ他方のピンを前記カム溝に挿入している複数枚の絞り羽根と、を備えているようにする。
【００１１】
【発明の実施の形態】
本発明の実施の形態を、図１〜図３に示した実施例によって説明する。尚、図１は実施例を被写体側から見た最大口径時の平面図であり、図２は各部材の重なり関係を分かり易くするために示した図１の一部断面図であり、図３は図１と同じようにして見た最小口径時の平面図である。
【００１２】
本実施例の場合にも、地板１１と補助地板１２は適宜な手段によって相互に取り付けられ、それらの間に羽根室を構成している。また、地板１１と補助地板１２は光軸を中心にした円形の開口部１１ａ，１２ａを有しているが、地板１１の開口部１１ａは絞り口径の最大口径を規制するものではなく、その最大口径よりもかなり大きく形成されており、補助地板１２の開口部１２ａが絞り口径の最大口径を規制している。開口部１１ａを最大口径よりも大きく形成した理由は、地板１１の被写体側に配置されるレンズを、少しでも後述の絞り羽根１４に接近させて配置することにより、カメラのコンパクト化を図るためであるが、その形状は必ずしも円形である必要はない。また、そのような要求がない場合は、開口部１１ａの大きさを最大口径と同じにしても差し支えない。
【００１３】
地板１１には、光軸を中心にした円周上に等間隔に五つの孔１１ｂが形成されているが、図１及び図３においては地板１１の一部を破断して示しているので、それらのうちの三つだけが示されている。羽根室内には、駆動リング１３が回転可能に配置されていて、その張出部１３ａが地板１１に設けられた突部１１ｄに当接し得るようになっている。また、この駆動リング１３には、光軸を囲むようにして配列された五つの細長いカム溝１３ｂが形成されており、外周の一部には歯部１３ｃを有している。更に、羽根室内において、補助地板１２と駆動リング１３との間には、５枚の絞り羽根１４が配置されていて、各々の絞り羽根１４は、一方のピン１４ａを、地板１１の段部１１ｃに形成された上記の孔１１ｂに対して回転可能に嵌合させ、他方のピン１４ｂを駆動リング１３のカム溝１３ｂに挿入している。
【００１４】
また、上記の従来例と同様に、地板１１には羽根室外にモータ１５が取り付けられていて、羽根室内に延在している出力軸には歯車１６が取り付けられている。また、羽根室内には親子歯車１７が取り付けられていて、その親歯車が上記の歯車１６に噛合し、子歯車が駆動リング１３の歯部１３ｃに噛合している。従って、図１において、モータ１５の回転子を反時計方向へ回転させると、駆動リング１３も反時計方向へ回転して、各絞り羽根１４を反時計方向へ回転させ、絞り口径を小さくしていく。そして、最小口径状態が図３に示されているが、このような最小口径状態になる前にモータ１５を停止させれば、夫々の停止位置で夫々の絞り口径を得ることができる。また、撮影後、モータ１５の回転子を時計方向へ回転させ、張出部１３ａが突部１１ｄに当接するまで駆動リング１３を時計方向へ回転させれば、図１の全開状態（絞りの最大口径）に復帰する。
【００１５】
このような本実施例の絞り機構を組み立てる場合は、予めモータ１５と歯車１６とを取り付けた地板１１を、羽根室側の面を上側にして冶具に載せておき、その上から駆動リング１３，親子歯車１７，絞り羽根１４，補助地板１２の順に取り付けていく。そして、その場合、絞り羽根１４を地板１１と駆動リング１３に取り付けるときは、１枚ずつ、二つのピン１４ａ，１４ｂを孔１１ｂとカム溝１３ｂに落とし込む。従って、従来例のように、同時に５枚の絞り羽根と駆動リングとの位置合わせをする必要がないから、その取付作業が極めて簡単である。しかも、場合によっては、ピン１４ａを先に孔１１ｂに嵌合させてからそこを軽く押えておき、絞り羽根１４を若干上方へ撓ませるようにしてピン１４ｂをカム溝１３ｂに挿入させるようにすることも可能である。
【００１６】
また、本実施例においては、絞り羽根１４が補助地板１２と駆動リング１３との間に挟まれて作動するように構成されているので、地板１１の開口部１１ａを絞りの最大口径より大きくしても、絞り羽根１４の作動の安定性を維持する機能と、所定の口径位置でその規制状態を安定的に得られる機能には何ら問題が生じない。しかも、開口部１１ａを光軸を中心にした円形形状にすることには必ずしも拘束されない。従って、絞り機構の被写体側に配置されるレンズなどの構成に合わせて形成することができるので、カメラのコンパクト化にとって極めて有利である。
【００１７】
また、本実施例においては、地板１１と補助地板１２の外形は円形であるが、カメラ内に絞り機構が配置される周囲の構成によっては、それらの形状が円形にならないことがある。そのため、孔１１ｂを等間隔に配列できない場合もあるが、その場合には、カム溝や羽根等の形状を適宜変えることによって、絞り口径を常に略円形に変化させるようにすることが可能である。
【００１８】
【発明の効果】
以上のように、本発明によれば、絞り羽根の同一面に二つのピンを設け、組立時には、１枚の絞り羽根ごとに、それらのピンを地板に設けられた孔と駆動リングに設けられたカム溝とに取り付けるようにしたので、組立作業が極めて容易になるという利点がある。また、本発明によれば、絞り羽根が駆動リングと補助地板の間に配置されているので、補助地板に形成された開口部で絞りの最大口径を規制するようにした場合には、地板の開口部を大きくしても絞り羽根の作動や口径制御状態に影響を及ぼさないので、被写体側に配置されているレンズなどの構成部材を絞り羽根に接近して配置させることが可能となり、カメラのコンパクト化にとって有利になる。
【図面の簡単な説明】
【図１】実施例を被写体側から見た最大口径時の平面図である。
【図２】各部材の重なり関係を分かり易くするために示した図１の一部断面図である。
【図３】図１と同じようにして見た最小口径時の平面図である。
【図４】図１と同じ状態を同じようにして見た従来例の平面図である。
【図５】図４の一部断面図である。
【図６】図４と同じようにして見た最小口径時における従来例の平面図である。
【符号の説明】
１，１１                    地板
１ａ，１１ａ，１２ａ        開口部
１ｂ，１１ｂ                孔
１ｃ，１１ｃ                段部
１ｄ，１１ｄ                突部
２，１２                    補助地板
３，１３                    駆動リング
３ａ，１３ａ                張出部
３ｂ，１３ｂ                カム溝
３ｃ，１３ｃ                歯部
４，１４                    絞り羽根
４ａ，４ｂ，１４ａ，１４ｂ  ピン
５，１５                    モータ
６，１６                    歯車
７，１７                    親子歯車
【図１】
0004812197.tif 000002
【図２】
0004812197.tif 000003
【図３】
0004812197.tif 000004
【図４】
0004812197.tif 000005
【図５】
0004812197.tif 000006
【図６】
0004812197.tif 000007